【手続補正書】
【提出日】平成16年7月22日(2004.7.22)
【手続補正１】
【補正対象書類名】特許請求の範囲
【補正対象項目名】全文
【補正方法】変更
【補正の内容】
【特許請求の範囲】
【請求項１】
制御可能電子スイッチであって、
入力電力配線を電気導体に制御可能に接続する変形可能部材手段であって、前記変形可能部材手段が前記電気導体と接触しているときに、前記入力電力配線が前記電気導体と電気的に接続する変形可能部材手段と、
前記変形可能部材手段が前記電気導体との接触を遮断するまで、前記変形可能部材手段を加熱し、前記変形可能部材手段を変形させる手段と、
前記入力電力配線とは別個であって、前記加熱手段を作動させおよび不作動にする信号手段と、
を備えている制御可能電子スイッチ。
【請求項２】
制御可能電子スイッチであって、
第１端部で固定されるとともに、第２端部で電気導体と接触しているバイメタル部材と、
前記電気導体近くの前記第２端部で、前記バイメタル部材に接続されているとともに、前記バイメタル部材が前記電気導体と接触しているときに、前記電気導体と電気的に接続する入力電力配線と、
前記バイメタル部材と結合する加熱素子と、
前記加熱素子に接続されているスイッチ制御回路であって、前記スイッチ制御回路がスイッチ制御信号をアサートすると、前記加熱素子が、前記バイメタル部材を湾曲させるのに十分な程加熱されて、前記バイメタル部材の前記第２端部と前記電気導体との間の接触を遮断するスイッチ制御回路と、
を備えている制御可能電子スイッチ。
【請求項３】
前記バイメタル部材の前記第２端部が、前記スイッチ制御信号がアサートされなかったときに、前記電気導体と接触したままである請求項２の制御可能電子スイッチ。
【請求項４】
前記バイメタル部材の前記第２端部は、前記電気導体と接触しているときに、電力が、前記電気導体を通して、前記入力電力配線から遠隔負荷に伝えられ、前記バイメタル部材の前記第２端部は、前記電気導体との接触を遮断したときに、電力が、前記遠隔負荷に伝えられない請求項３の制御可能電子スイッチ。
【請求項５】
前記加熱素子は、抵抗コイルを備えている請求項２の制御可能電子スイッチ。
【請求項６】
前記スイッチ制御回路の手動による作動によって、前記スイッチ制御信号をアサートさせる請求項２の制御可能電子スイッチ。
【請求項７】
前記スイッチ制御信号は、遠隔供給源から受信される電子コマンド信号への応答で、前記スイッチ制御回路によってアサートされる請求項２の制御可能電子スイッチ。
【請求項８】
前記入力電力配線は、前記バイメタル部材の前記第２端部に溶接されている請求項２の制御可能電子スイッチ。
【請求項９】
前記バイメタル部材の前記第２端部は、第１の金属材料を備えている上側と、第２の金属材料を備えている下側とを有し、前記入力電力配線が、前記バイメタル部材における前記第２端部の前記上側に溶接されており、前記バイメタル部材における前記第２端部の前記下側が、前記スイッチ制御信号がアサートされていないときに、前記電気導体と接触している請求項８の制御可能電子スイッチ。
【請求項１０】
電力送出を制御する方法であって、次の各工程を備えており、
バイメタルアームの第１端部を固定する工程と、
前記バイメタルアームの第２端部が、前記バイメタルアームが周囲状態にあるときに、電気導体と接触して存在し、前記バイメタルアームが加熱されるときに、湾曲して前記電気導体から離れるように、前記バイメタルアームを配置する工程と、
前記電気導体に近く、前記バイメタルアームの前記第２端部で、入力電力配線を前記バイメタルアームに接続する工程であって、前記入力電力配線を通る電力信号が、前記バイメタルアームが前記電気導体と接触しているときに、前記電気導体を通って遠隔負荷への電力経路を有するようにする工程と、
加熱素子を前記バイメタルアームに結合する工程と、
スイッチ制御信号を前記加熱素子に接続する工程と、
前記加熱素子の加熱を制御するために、前記スイッチ制御信号を選択的に印加および除去し、それによって、前記バイメタルアームを開いたり閉じたりする工程と、
を備えている電力送出を制御する方法。
【請求項１１】
前記スイッチ制御信号の印加によって前記加熱素子および、その結果として、前記バイメタルアームに加熱を生じさせ、前記バイメタルアームが湾曲して前記電気導体から離れるようにし、また前記スイッチ制御信号を除去することによって、前記加熱素子の冷却および、その結果として、前記バイメタルアームに冷却を生じさせ、前記バイメタルアームが前記電気導体との接触を回復するようにする請求項１０の方法。
【請求項１２】
加熱素子を前記バイメタルアームに結合する前記工程は、抵抗コイルを前記バイメタルアームに巻きつける工程を備えている請求項１０の方法。
【請求項１３】
前記加熱素子の加熱を制御するために、前記スイッチ制御信号を選択的に印加および除去する前記工程は、スイッチ制御回路を手動で作動および不作動にすることで、この制御回路が、つぎに前記スイッチ制御信号を印加および除去する工程を備えている請求項１０の方法。
【請求項１４】
前記加熱素子の加熱を制御するために、前記スイッチ制御信号を選択的に印加および除去する前記工程は、遠隔供給源から電子コマンド信号を受信することで、この信号に応答して、前記スイッチ制御信号を印加および除去する工程を備えている請求項１０の方法。
【請求項１５】
前記電気導体に近く、前記バイメタルアームの前記第２端部で、入力電力配線を前記バイメタルアームに接続する前記工程は、前記入力電力配線を、前記バイメタルアームの前記第２端部に溶接する工程を備えている請求項１０の方法。
【請求項１６】
前記バイメタルアームの前記第２端部は、第１の金属材料を備えている上側と、第２の金属材料を備えている下側とを有し、前記入力電力配線を、前記バイメタルアームの前記第２端部に溶接する前記工程が、前記入力電力配線を、前記バイメタルアームの前記第２端部の前記上側に溶接する工程をさらに備えており、前記バイメタル部材における前記第２端部の下側が、前記スイッチ制御信号が印加されていないときに、前記電気導体と接触している請求項１５の方法。
【請求項１７】
制御可能電子スイッチであって、
第１端部で固定されるとともに、第２端部で電気導体と接触している変形可能部材と、
前記電気導体近くの前記第２端部で前記変形可能部材に接続されているとともに、前記変形可能部材が前記電気導体と接触しているときに、前記電気導体と電気的に接続されている入力電力配線と、
前記変形可能部材の近傍に存在している加熱素子と、
前記加熱素子に接続されているとともに、スイッチ制御信号を前記加熱素子に伝える信号線と、
を備えている制御可能電子スイッチ。
【請求項１８】
前記スイッチ制御信号のアサーションは、電流を前記加熱素子に通すことによって、前記加熱素子を熱くさせ、それによって、前記変形可能部材を湾曲させて、前記変形可能部材の前記第２端部と前記電気導体との間の接触を遮断しており、また前記スイッチ制御信号の非アサーションは、前記加熱素子を非加熱のままにし、それによって、前記変形可能部材が湾曲せず、前記電気導体と接触したままでいることを可能とする請求項１７の制御可能電子スイッチ。
【請求項１９】
前記加熱素子は、抵抗コイルを備えている請求項１７の制御可能電子スイッチ。
【請求項２０】
前記スイッチ制御信号を出力するスイッチ制御回路をさらに含み、前記スイッチ制御信号が、前記スイッチ制御回路の手動による作動によってアサートされる請求項１７の制御可能電子スイッチ。
【請求項２１】
前記スイッチ制御信号を出力するスイッチ制御回路をさらに備えており、前記スイッチ制御信号が、遠隔供給源から受信される電子コマンド信号に応答してアサートされる請求項１７の制御可能電子スイッチ。
【請求項２２】
前記入力電力配線は、前記変形可能部材の前記第２端部に溶接されている請求項１７の制御可能電子スイッチ。
【請求項２３】
前記変形可能部材は、バイメタル部材を備えている請求項１７の制御可能電子スイッチ。
【請求項２４】
前記バイメタル部材の前記第２端部は、第１の金属材料を備えている上側と、第２の金属材料を備えている下側とを有し、前記入力電力配線が、前記バイメタル部材における前記第２端部の前記上側に溶接されており、前記バイメタル部材における前記第２端部の前記下側が、前記スイッチ制御信号がアサートされていないときに、前記電気導体と接触している請求項２３の制御可能電子スイッチ。